(57)【特許請求の範囲】
【請求項１】
天板下面を支持すべく互いに離間して平行に取り付けられる縦幅の異なる一対の補強リブと、該一対の補強リブと同一間隔で内方に向けて突設されて該補強リブ内に嵌挿するように前記脚柱の上部に一対形成されるアームと、該幅広側の補強リブの内面に沿って取り付けられる上方開口の配線ダクトと、一端に取着板を備えるとともに前記両補強リブの両端とそれぞれ固定可能な突設部材が前記取着板から一体に突設する連結部材とで構成され、前記取着板を前記脚柱における前記アームよりも下方に固着するとともに、前記補強リブ間で前記突設部材を各補強リブにネジを介して装着することにより前記両補強リブが一体化されることを特徴とする机の天板と脚柱の支持構造。
【請求項２】
前記連結部材の突設部材は、所定間隔離間して並設される一対の帯板から成り、該帯板の上端縁を連結する連結体が天板との取付部としてアーチ状に形成されたことを特徴とする請求項１に記載の机の天板と脚柱の支持構造。
【請求項３】
前記連結部材の取着板は、前記天板下面の左右を支持する両脚柱の連結板に取り付けられる構造になっていることを特徴とする請求項１に記載の机の天板と脚柱の支持構造。
【発明の詳細な説明】
【０００１】
【発明の属する技術分野】
本発明は、机の天板と脚柱の支持構造に係り、特に配線機能を有する机の天板と脚柱を取り付ける支持構造に関する。
【０００２】
【従来の技術】
近年、携帯用の小型のパソコンやワープロ等の著しい普及により、これらを図書館に持ち込んで各種の仕事が行えるように、通信ケーブルやコンセント用コード類の配線機能の付いた大型の机が使用される傾向にある。
【０００３】
このような机の天板には、複数の配線挿通部やコンセント等の取付部を有しているのが一般的であり、これらコード類を挿通したり接続したりする際に、コード類をいかに体裁良く配線するかが課題となっている。
【０００４】
１つの配線方法として、天板の下面に上部が開口した断面コ字形の配線ダクトを設け、この配線ダクト内にコード類を納めるようにすることが考えられる。
【０００５】
図４は従来の机の支持構造の分解組立斜視図である。すなわち、机の支持構造は、天板０１下面中央の長手方向に取付けて天板０１を補強する補強部材０２と、天板０１の左右両端を支持する脚柱０３と、該脚柱０３と天板０１の補強部材０２と連結する連結部材０４と、で構成されている。
【０００６】
補強部材０２は、所定間隔離間して並設された２本の角管で構成される補強リブ０２ａ、０２ｂと、これら補強リブ０２ａ、０２ｂの少なくとも両端部を接続する連結板０５とで構成されている。
【０００７】
左右の脚柱０３は、２本の脚０３ａ、０４ｂと、該両脚０３ａ、０４ｂの上端に水平に突設されて天板０１を取付けるための支持アーム０３ｃと、該支持アーム０３ｃから前記補強リブ０２ａ、０２ｂと同一間隔で内方に向けて突設され前記補強リブ０２ａ、０２ｂ内に挿嵌可能な一対のアーム０７ａ、７０ｂと、その下方で前記両脚０３ａ、０３ｂを連結する連結板０６とで構成されている。
【０００８】
連結部材０４は、左右勝手違いの一対のブラケット０４ａ、０４ｂから成り、このブラケット０４ａ、０４ｂ一端が前記脚柱０３の連結板０６に取付ける垂直な取付け部Ｖと、他端が前記補強リブ０２ａ、０２ｂ間を連結する連結板０５の底面に取付ける水平な取付け部Ｈとで構成されている。
【０００９】
【発明が解決しようとする課題】
このような机の支持構造は、図４に示すように、天板０１下面に配線ダクト０８を設置する場合、天板０１下面の補強部材０２を構成する一方の補強リブ０２ａにネジＮを介して配線ダクト０８を取り付けるため、配線ダクト０８が下方に垂れてしまい見栄が悪いばかりか、取付強度も低下してしまう問題を有していた。
【００１０】
本発明は、配線ダクトを外観上見栄が良く、且つ強力に補強リブに取り付けることが出来るばかりか、両補強リブ同士を一体に連結して強度を増強することができる机の天板と脚柱の支持構造を提供することを目的としている。
【００１１】
【課題を解決するための手段】
上記目的を達成するために、本発明は、天板下面を支持すべく互いに離間して平行に取り付けられる縦幅の異なる一対の補強リブと、該一対の補強リブと同一間隔で内方に向けて突設されて該補強リブ内に嵌挿するように前記脚柱の上部に一対形成されるアームと、該幅広側の補強リブの内面に沿って取り付けられる上方開口の配線ダクトと、一端に取着板を備えるとともに前記両補強リブの両端とそれぞれ固定可能な突設部材が前記取着板から一体に突設する連結部材とで構成され、前記取着板を前記脚柱における前記アームよりも下方に固着するとともに、前記補強リブ間で前記突設部材を各補強リブにネジを介して装着することにより前記両補強リブが一体化されることを特徴としている。
この特徴によれば、配線ダクトが幅広側の補強リブの内面に沿って取り付けられているため、配線ダクトの外観上の見栄が良く、且つ連結部材が強力に補強リブに取り付けることが出来るばかりか、取着板から一体に突設する突設部材が補強部材両端の両補強リブに固定されるので、両補強リブ同士を一体に連結して強度を増強することができる。
【００１２】
本発明の机の天板と脚柱の支持構造は、前記連結部材の突設部材が、所定間隔離間して並設される一対の帯板から成り、該帯板の上端縁を連結する連結体が天板との取付部としてアーチ状に形成されれば好適である。
このうようにすることにより、突設部材を構成する一対の帯板の上端縁が連結体によって連結されるので、突設部材の強度が増強されるとともに、連結体がアーチ状の取付部として構成されるので天板との取付強度が高くなる。
【００１３】
本発明の机の天板と脚柱の支持構造は、前記連結部材の取着板は、前記天板下面の左右を支持する両脚柱の連結板に取り付けられる構造になっていれば好適である。
このようにすることにより、両脚柱の向き合う連結板に取着板が取付けられるので、連結部全体の強度が増大する。
【００１４】
【発明の実施の形態】
以下、本発明の一実施形態を図面に基づいて説明する。図１は本発明の一実施形態としての配線機能を有する机の斜視図、図２は本発明の一実施形態である配線機能を有する机の支持構造の分解組立斜視図であり、図３（ａ）は図１のＡ−Ａ断面図、（ｂ）は図１のＢ−Ｂ断面図である。
【００１５】
１は配線機能を有する机の天板であり、天板１の左右両端は脚柱２、３によって支持されている。天板の略中央には長手方向に複数の配線挿通口４ａ、４ｂ…が配設されており、この配線挿通口４ａ、４ｂ…を通して取り出された配線コードにコンセント５やアダプタ６を接続して使用できるようになっている。
【００１６】
これらの配線コード７は、後述する天板１下面の配線ダクトを通して一方の脚柱３内部に導かれ、この脚柱３内部より床面に備え付けられている電源端子に接続されるようになっている。
【００１７】
次に、本発明の要部である机の天板と脚柱の支持構造につき説明する。図２の分解組立斜視図に示されるように、天板１下部の略中央部には２本の角管で構成される補強リブとしての縦幅ｈ１及びｈ２の異なる補強リブ８ａ、８ｂからなる補強部材８が取付けられており、この補強部材８は、左右脚柱２、３の方向に向き、かつ互いに離間して平行に取り付けられている。
【００１８】
一方、脚注３は、２本の脚３ａ、３ｂと、該両脚３ａ、３ｂの上端に水平に突設されて天板１を取付けるための一対の支持アーム３ｃと、該支持アーム３ｃから補強リブ８ａ、８ｂと同一間隔で内方に向けて直角に突設され前記補強リブ８ａ、８ｂ内に挿嵌可能な一対のアーム９ａ、９ｂと、その下方で前記両脚３ａ、３ｂを連結する断面コ字形の連結板１０とで構成されている。
【００１９】
また、１２は連結部材を示し、この連結部材１２は、脚注３の連結板１０内側面に取着される垂直な取付面となる取着板１３と、この取着板１３から突設した一対の帯板１４ａ、１４ｂから成る突設部材１４と、これら帯板１４ａ、１４ｂの上端縁を連結するアーチ状の連結体１５とで構成されている。
【００２０】
これら帯板１４ａ、１４ｂは、外側の間隔が補強リブ８ａ、８ｂの内側に挿嵌可能な寸法に形成されおり、帯板１４ａ、１４ｂの上端縁を連結する連結体１５の上面が天板１との水平な取付面となるよう構成されている。
【００２１】
１６は、上方が開口した断面コ字形に形成される配線ダクトであり、この配線ダクト１６は、補強部材８の幅広側ｈ１の補強リブ８ｂの内面に略全長に亘って取り付けられる。
【００２２】
次に、上記のように構成された配線機能を有する机の天板と脚柱の支持構造の組立手順につき説明する。先ず、天板１下面の略中央に縦幅ｈ１及びｈ２の異なる補強リブ８ａ、８ｂからなる補強部材８が取り付けられると、これら補強リブ８ａ、８ｂの両端に両脚柱２、３の一対のアーム９ａ、９ｂを挿嵌する。
【００２３】
次に、両脚柱２、３の水平な支持アーム３ｃを天板１左右の下面に図示しないネジにより固定し、連結部材１２一端の垂直な取着板１３を両脚２、３の連結板１０にネジＮ１によって固定すると共に、取着板１３から突設した帯板１４ａ、１４ｂを補強リブ８ａ、８ｂ間の内側に挿嵌し、その外側からネジＮ２により固定する。
【００２４】
続いて、帯板１４ａ、１４ｂ上端縁を連結する連結体１５の取付面を天板１下面に当接させた上で図３（ａ）に示されるようにネジＮ３により天板１に固定する。
【００２５】
このように、連結部材１２は、一対の帯板１４ａ、１４ｂがこの上端縁を連結する連結体１５によって一体化され、この連結体１５が天板１との取付部となっているので、天板１に対する連結を強化することができる。
【００２６】
最後に、幅広側ｈ１の補強リブ８ｂの内面に配線ダクト１が略全長に亘って取り付けられると、配線ダクト１の側端縁に対し補強部材８の相手側の幅狭側ｈ２補強リブ８ａの下端縁との間に間隔Ｓが確保された状態となり、天板１と脚柱２、３の組立作業が完成する。
【００２７】
このようにすることにより、配線ダクト１６が幅広側の補強リブ８ｂの内面に沿って取り付けられているため、配線ダクト１６の外観上の見栄が良く、且つ連結部材１２が強力に補強リブ８ａ、８ｂに取り付けることが出来るばかりか、取着板１３から一体に突設する突設部材１４が補強部材８両端の両補強リブ８ａ、８ｂに固定されるので、両補強リブ８ａ、８ｂ同士を一体に連結して強度を増強することができる。
【００２８】
また、突設部材１４を構成する一対の帯板１４ａ、１４ｂの上端縁が連結体１５によって連結されるので、突設部材１４の強度が増強されるとともに、連結体１５がアーチ状の取付部として構成されるので天板１との取付強度を高めることができる。
【００２９】
さらに、両脚柱２、３の向き合う連結板１０に取着板１３が取付けられるので、連結部全体の強度が増大する。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
【発明の効果】
本発明は次の効果を奏する。
【００３２】
（ａ）請求項１の発明によれば、配線ダクトが幅広側の補強リブの内面に沿って取り付けられているため、配線ダクトの外観上の見栄が良く、且つ連結部材が強力に補強リブに取り付けることが出来るばかりか、取着板から一体に突設する突設部材が補強部材両端の両補強リブに固定されるので、両補強リブ同士を一体に連結して強度を増強することができる。
【００３３】
（ｂ）請求項２の発明によれば、突設部材を構成する一対の帯板の上端縁が連結体によって連結されるので、突設部材の強度が増強されるとともに、連結体がアーチ状の取付部として構成されるので天板との取付強度が高くなる。
【００３４】
（ｃ）請求項３の発明によれば、両脚柱の向き合う連結板に取着板が取付けられるので、連結部全体の強度が増大する。
【００３５】
【図面の簡単な説明】
【図１】本発明の一実施形態としての配線機能を有する机の斜視図である。
【図２】本発明の一実施形態である配線機能を有する机の支持構造の分解組立斜視図である。
【図３】（ａ）は図１のＡ−Ａ断面図、（ｂ）は図１のＢ−Ｂ断面図である。
【図４】（ａ）は、従来の配線機能を有する机の支持構造の分解組立斜視図、（ｂ）は補強部材を横切る断面図である。
【符号の説明】
１            天板
２、３        脚柱
４ａ、４ｂ    配線挿通口
５            コンセント
６            アダプタ
７            配線コード
８            補強部材
８ａ、８ｂ    補強リブ
９ａ、９ｂ    アーム
１０            連結板
１２            連結部材
１３            取着板
１４            突設部材
１４ａ、１４ｂ  帯板
１５            連結体
１６            配線ダクト
Ｎ１、Ｎ２，Ｎ３ネジ
【図１】
0004034456.tif 000002
【図２】
0004034456.tif 000003
【図３】
0004034456.tif 000004
【図４】
0004034456.tif 000005